(57)【要約】【課題】身体を覆って使用することのできる身体装着用サウナにおいて、発熱体がショートしたり故障したりする危険性が少なく、また、運動時に電力線などに大きな負荷がかかった場合であっても身体を覆う被覆体が破れてしまうことがないような身体装着用サウナを提供する。【解決手段】身体を包み込むサウナスーツ２と、外部から供給された電力に基づいて発熱するＰＴＣシート３１と、当該ＰＴＣシート３１を収納する発熱体収納部２６を備えてなる身体装着用サウナ１において、サウナスーツ２の背面の外側にＰＴＣシート３１からなる発熱体３を着脱できるようにした発熱体収納部２６を設ける。そして、そのサウナスーツ２を、波動石粉を含有させた塩化ビニルなどの可撓性合成樹脂で形成する。【選択図】図１
2009072362.tif 000002
【特許請求の範囲】
【請求項１】
身体を包み込む袋体と、外部から供給された電力に基づいて発熱する平面状の発熱体を備えてなる身体装着用サウナにおいて、
前記袋体の身体側を内側とした場合に、袋体における外側に前記発熱体を着脱可能に収納するための発熱体収納部を設けたことを特徴とする身体装着用サウナ。
【請求項２】
前記発熱体収納部が、身体を包み込む袋体における身体の背中側に設けられ、かつ、背中の左右方向のいずれかの方向から発熱体を収納するための開口部を設けて構成されるものである請求項１に記載の身体装着用サウナ。
【請求項３】
前記袋体が、粉末状に粉砕された波動石粉を含有する合成樹脂シートで形成されるものである請求項１に記載の身体装着用サウナ。
【請求項４】
前記発熱体が、ＰＴＣシートを布体で覆って構成したものである請求項１に記載の身体装着用サウナ。
【発明の詳細な説明】
【技術分野】
【０００１】
本発明は、身体に装着することによって岩盤浴やサウナなどと同様の効果を発揮させることのできる身体装着用サウナに関するものである。
【背景技術】
【０００２】
近年、一般家庭でも気軽に楽しめるようにしたサウナが各種提案されている。このようなサウナを大きく２つに分類すると、一つ目は、身体を収納できるようにしたボックスと、そのボックスの内部に椅子や加熱装置を設けて構成するようにしたサウナであり（特許文献１など）、もう片方が、身体を覆うスーツなどの袋体と、その袋体内で身体を加熱発汗させる加熱装置を備え構成された身体装着用サウナである（特許文献２〜特許文献３）。これらのサウナのうち、前者のユニット型のサウナは、比較的高価であり、しかも、収容スペースが大きくとられてしまうことから、廉価で可搬性・運動機能性に富んだ身体装着用サウナが近年注目を浴びるようになっている。
【０００３】
ところで、このような後者のような身体装着用サウナとしては、例えば、下記の特許文献２から特許文献４に記載されるようなものが現在のところ提案されている。
【０００４】
まず、特許文献２や特許文献３に記載される身体装着用サウナは、身体にフィットさせた形態を有するサウナスーツに空気取入口を設け、その空気取入口に別体の温風発生装置から連結用のパイプを介して温風を送り込み、身体を加熱・発汗させるようにしたものである。
【０００５】
また、特許文献４に記載される身体装着用サウナは、手足や胴体にフィットするように設けられた上衣やズボンと、その上衣における内部背面側に設けられたポケット状の発熱体収納部と、その発熱体収納部に収納される平面状ヒーターとを備え、その平面状ヒーターによって発熱・発汗の効果をもたせるようにしたものである。
【特許文献１】特開平１１−３１９０１８号公報
【特許文献２】実開昭５８−９５３６６号公報
【特許文献３】実開昭５８−１２７５４７号公報
【特許文献４】特開平０６−３４３６７５号公報
【発明の開示】
【発明が解決しようとする課題】
【０００６】
ところで、このような身体装着用サウナのうち、特許文献２や特許文献３に記載されるサウナは、加熱用の温風発生装置を設ける必要があるため、低価格化の要請に応えることができず、また、温風をサウナスーツ内に送り込むためのパイプやファンなどをサウナスーツに取り付ける必要があるため、利用者の動きが拘束されてしまうという問題を有する。また、パイプやファンなどをサウナスーツに直接取り付ける必要があるため、サウナスーツが局所的に重くなって破れてしまうという問題も有する。
【０００７】
これに対して、特許文献４に記載される身体装着用サウナは、平面状ヒーターを上衣の内部に収納して使用するという構造になっているため、利用者の動きをあまり拘束させることがなくなるものの、特許文献４の構造では、上衣の内部に平面状ヒーターを設ける構造となっているため、上衣内にこもった水蒸気や汗などが平面状ヒーターに付着しやすく、ショートや故障を引き起こす危険性がある。また、平面状ヒーターを上衣の内部に設ける構造であると、そのヒーターに電力を供給するための電源コードを上衣から導出させなければならず、その導出用の孔などから内部の熱が逃げてしまう可能性がある。さらには、この身体装着用サウナを使用している際に、電源コードが何かに引っ掛かった場合、その導出用の孔に大きな負担がかかり、その孔から上衣が破れてしまうといった問題も有する。また、特許文献４に記載された身体装着用サウナは、発熱体の電源コードを背中の中央部分を通すようにしているため、寝そべって使用する場合に、その電源コードが床との間に挟まれてしまい、部分的で肌を圧迫してしまうといった問題も有する。
【０００８】
そこで、本発明は上記課題に着目してなされたもので、身体を覆って使用することのできる身体装着用サウナにおいて、発熱体がショートしたり故障したりする危険性が少なく、また、運動時に電力線などに大きな負荷がかかった場合であっても身体を覆う被覆体が破れてしまうことがないような身体装着用サウナを提供することを目的とする。
【課題を解決するための手段】
【０００９】
すなわち、本発明は上記課題を解決するために、身体を包み込む袋体と、外部から供給された電力に基づいて発熱する平面状の発熱体を備えてなる身体装着用サウナにおいて、前記袋体の身体側を内側とした場合に、袋体における外側に前記発熱体を着脱可能に収納するための発熱体収納部を設けるようにしたものである。
【００１０】
このようにすれば、袋体の外側に発熱体を設けるため、水蒸気や汗などによって発熱体をショートさせる心配がなくなり、しかも、その発熱の電源コードを通すための孔を袋体に開ける必要がないので、袋体内の温度や湿度を一定に保つことができる。さらには、電源コードが引っ張られた場合であっても袋体が破れてしまうといったことがなくなる。
【００１１】
また、このような発明において、発熱体収納部を、袋体における身体の背中側に設けるとともに、背中の左右いずれかの方向から発熱体を収納するための開口部を設けるようにする。
【００１２】
このようにすれば、発熱体の電源コードを体の側方から引き出すことができるため、ＡＣ電源を利用する場合に、コンセントと発熱体までの距離を短くすることができ、また、上向きに寝そべった場合に背中に電源コードが位置して背中を圧迫させるといったことがなくなる。さらには、自分で発熱体を収納する場合に、脇付近に手を回して発熱体を収納することができるので、他人からの補助を受けることなく自分一人で発熱体を収納することができるようになる。
【００１３】
さらには、合成樹脂シートによって袋体を構成する場合、粉末状に粉砕された波動石粉を含有させるようにする。
【００１４】
このようにすれば、粉砕された波動石粉を袋体に含んでいるため、発熱体からの熱と波動石からの遠赤外線によって相乗的に身体を暖めて、岩盤浴と同じ効果を与えることができるようになる。しかも、紛状にした波動石を袋体に含んでいるので、袋体を柔らかい状態で使用させることができ、運動の自由を奪うようなことがなくなる。
【００１５】
加えて、発熱体をＰＴＣシートで構成し、また、そのＰＴＣシートを布体で覆うようにする。
【００１６】
このようにすれば、ＰＴＣシートによって加熱温度を自動制御することができるため、温度調整装置などを別途設ける必要なく、低コストかつ軽量に発熱体を構成することができるようになり、しかも、全体を布体で覆うようにしたので、長時間使用した場合における低温火傷を防止することができるようになる。
【発明の効果】
【００１７】
このように本発明によれば、身体を包み込む袋体と、外部から供給された電力に基づいて発熱する平面状の発熱体を備えてなる身体装着用サウナにおいて、前記袋体の身体側を内側とした場合に、袋体における外側に前記発熱体を着脱可能に収納するための発熱体収納部を設けるようにしたので、水蒸気や汗などによって発熱体がショートしたり故障したりする心配がなく、しかも、その発熱体に電力を供給するための電源コードを通すための孔を袋体に開ける必要がなくなるので、袋体内の温度や湿度を一定に保つことができる。さらには、電源コードが引っ張られた場合であっても袋体が破れてしまうといったことがなくなる。
【発明を実施するための最良の形態】
【００１８】
以下、本発明における一実施の形態について図面を参照して説明する。図１は、本発明の実施の形態における身体装着用サウナ１の外観斜視図を示したものであり、図２は、その背面に取り付けられる発熱体収納部２６の拡大図を示したものである。
【００１９】
この実施の形態における身体装着用サウナ１は、上衣２１、ズボン２２、フード２３を一体的に形成したサウナスーツ２と、当該サウナスーツ２に着脱可能に取り付けられる平面状の発熱体３（図３、図４参照）とを備えてなるもので、そのサウナスーツ２における背中の最外側に発熱体３を収納するための複数の発熱体収納部２６を設けるようにしたものである。以下、本実施の形態における身体装着用サウナ１の具体的構成について詳細に説明する。
【００２０】
まず、サウナスーツ２は、上衣２１、ズボン２２、フード２３を適宜縫製することによって一体的に形成したものであって、装着した場合における身体接触面側に、熱を反射させる金属光沢面を有する裏地と、身体をほぼ密閉可能に包み込むことができる表地を設けるようにして構成される。この上衣２１の前面側（胸側）には、このサウナスーツ２を着る際の図示しないファスナーが設けられており、このファスナーを開閉することによって着脱できるようになっている。また、この上衣２１やズボン２２などの手首、足首、首部分には、内側にこもった熱気を外部に漏らさないようにする締め具２５が設けられる。この締め具２５は、例えば、ゴムバンドや面ファスナー２９などによって構成されるもので、手首などに隙間を生じさせないように締め付け、これによって密閉空間内の熱や水蒸気などを外部に漏らさないようにしている。
【００２１】
このサウナスーツ２の素材は、一般家庭などで洗濯可能な素材であって、しかも、遠赤外線を放出させることが可能な素材が用いられる。近年では、岩盤浴などで遠赤外線を放出させる材料として「波動石」が注目を集めており、これを用いるようにする。ただし、波動石をそのまま使用したのでは、サウナスーツ２が全体的に重くなり、また、波動石を取り付けた部分が局所的に重くなって使用感が悪くなるため、波動石を粉砕して使用できるようにする。具体的には、波動石を微小粒子となるまで粉砕し、これをポリ塩化ビニルなどの合成樹脂原料と練り合わせ、シート状の素材を生成する。そして、このシート状の素材を適宜カット、縫製することによって上衣２１やズボン２２、フード２３を有するサウナスーツ２を形成する。このとき、波動石粉を含有したシート状の素材をサウナスーツ２の全体に使用するようにしてもよく、あるいは、部分的に波動石粉を含有させたシート素材を用いるようにしてもよい。もしくは、裏地にのみ波動石粉を有するシート素材を用いるようにしてもよい。
【００２２】
このサウナスーツ２における発熱体収納部２６は、背面側における表地の外側に設けられるものであって、分割した領域に複数の発熱体３を収納できるようにしている。この発熱体収納部２６は、可能な限り低コストで収納部を形成できるように、一枚の生地を用いて発熱体収納部２６を形成し、上端部、下端部、中央部を左右方向に縫い付けて左右いずれかの方向にのみ開口部２７を形成する。このようにすれば、生地が一枚で済むとともに、縫い付けるための作業を簡素化することで、同時に複数の発熱体収納部２６を形成することができる。この発熱体収納部２６の取り付け位置としては、この実施の形態では、背中面の上部側と下部側の二カ所に設けるようにしているが、必ずしも二カ所に限定されるものではなく、三カ所以上設けるようにしてもよい。そして、このように開口部２７を形成するように発熱体収納部２６を形成した後、その開口部２７を覆うためのカバー部２８を設ける。このカバー部２８も発熱体収納部２６を形成するための素材などを用い、それぞれの開口部２７を覆うことのできるようにカバー部２８を独立させ、各々を面ファスナー２９で閉じられるようにする。そして、各カバー部２８とそれに隣接するカバー部２８の境界部分から発熱体３の電源コード３２を身体の横方向に引き出せるようにする。これによって、不要に電源コード３２を迂回させないようにする。
【００２３】
一方、この発熱体収納部２６に収納される発熱体３として、ＰＴＣシート３１が用いられる。このＰＴＣシート３１は、薄型平面状の発熱体３であって、軽量、かつ、フレキシブル性を有している。このＰＴＣシート３１を使用する場合、例えば、横３０ｃｍ程度、縦２０ｃｍ程度の大きさのものが用いられ、これをラミネート加工して防水性を確保する。このＰＴＣシート３１には、図４に示すように、角部近傍に電源コード３２が接続され、その電源コード３２を介して外部のＡＣ電源やバッテリーなどから電力供給を受けられるようにしている。このＰＴＣシート３１は、立ち上がり時などの温度が低いときはハイパワーで発熱し、温度が高くなると自動的にローパワーになるという自己温度制御特性を有し、また、薄くて熱容量が小さいこととあいまって、使い始めにすぐ温度があがるという速熱性がある。また、温度が下がった部分でのみ部分的に発熱する性質があるため、一部の温度が下がると全面が発熱してしまう従来のヒーターに比べて消費電力を小さく抑えることができるという性質を有している。さらには、発熱する抵抗体が面状に印刷されているので、従来の線状ヒーターに比べて温度にムラを生じさせることが少なく、薄いサウナスーツ２の使用には特に適している。
【００２４】
このＰＴＣシート３１は、布体３４で表面を被覆された状態で発熱体３として使用される。この布体３４としては、例えば、２枚の布の間に綿や毛の芯を挟み込み、ステッチで押さえるようにしたキルティングを用いる。このキルティングについても、表裏の布体３４を構成する繊維に波動石粉を混入させるようにする。そして、このようにキルティングの布体３４で表面を覆うことによって保温性を保つようにするとともに、外部から局所的に強い外力が加わった場合であってもＰＴＣシート３１に折れや破損を生じさせないようにする。なお、このキルティングでＰＴＣシート３１を覆う場合、身体接触側と反対側に断熱材を設けて熱の逃げを抑えられるようにしてもよい。
【００２５】
次に、このように構成された身体装着用サウナ１を使用する方法などについて説明する。
【００２６】
まず、この身体装着用サウナ１を使用する場合、サウナスーツ２の背面に設けられた複数の発熱体収納部２６に発熱体３を収納し、電源コード３２をカバー部２８の隙間から横方向に引き出す。そして、このように発熱体３を収納した状態で、サウナスーツ２の前面のファスナーを開いて、サウナスーツ２の上衣２１やズボン２２に手足を入れ、装着する。その後、前面のファスナーを締め、また、手首や足首の締め具２５を締めて内部を密閉状態にする。そして、平面の横方向から出された電源コード３２のコンセント部３３をコンセントに差し込む。すると、ＰＴＣシート３１の特性によって急激に温度が上昇し、３０℃〜６０℃の間で自己温度制御されながら発熱するとともに、サウナスーツ２やキルティングに含まれる波動石粉を加熱することによってより多くの遠赤外線を放出させる。これによって血行促進や発汗作用、ダイエット効果などを与えるようにする。
このとき、複数の発熱体収納部２６に収納されている発熱体３の数や取り付け位置を変更する場合は、手を背面の側方にまわして発熱体３を取り外し、あるいは、その収納位置を変更する。
【００２７】
そして、一定時間使用した後、サウナスーツ２を脱ぐ場合は、逆の手順でコンセントから電源コード３２を抜くとともに、手足の締め具２５を緩め、また、前面のファスナーを開く。そして、サウナスーツ２を脱いだ後、背面の発熱体３装着部に収納されている発熱体３を取り除き、内側に付着した汗を拭き取った後、洗濯や乾燥して手入れを行うようにする。
【００２８】
このように本実施の形態によれば、サウナスーツ２の背面の外側にＰＴＣシート３１からなる発熱体３を着脱できるようにした発熱体収納部２６を設けるようにしたので、内側にこもった水蒸気や汗などによって発熱体３をショートさせるような心配がなくなる。また、その発熱の電源コード３２を通すための孔を袋体に開ける必要がなくなるので、サウナスーツ２内の温度や湿度を一定に保つことができ、さらには、電源コード３２が引っ張られた場合であってもサウナスーツ２の薄いシートが破れてしまうといった問題がなくなる。
【００２９】
また、発熱体収納部２６を、サウナスーツ２の身体の背中側に設けるとともに、背中の左右いずれかの方向から発熱体３を収納するための開口部２７を設けるようにしたので、ＰＴＣシート３１の電源コード３２を身体の横から出すことができ、ＡＣ電源を利用する場合に、コンセントと発熱体３までの距離を短くすることができるようになる。また、上向き状態に寝そべった場合に背中に電源コード３２が位置して背中を圧迫させるといったことがなくなる。さらには、自分で発熱体３を収納する場合に、脇付近に手を回して発熱体３を収納することができるので、他人からの補助を受けることなく自分一人で発熱体３を収納することができるようになる。
【００３０】
さらには、粉末状に粉砕された波動石粉を含む合成樹脂シートによってサウナスーツ２を形成するようにしたので、ＰＴＣシート３１からの熱と波動石からの遠赤外線によって相乗的に身体を暖めて、岩盤浴と同じ効果を与えることができるようになる。しかも、紛状にした波動石を袋体に含んでいるので、サウナスーツ２をフレキシブルに使用させることができ、使用者の自由を奪うようなことがなくなる。
【００３１】
加えて、発熱体３であるＰＴＣシート３１をキルティングで覆うようにしたので、発熱体３に保温性を持たせることができ、また、折れや局所的な荷重が加わった場合であってもＰＴＣシート３１を破損させるようなことがなくなる。
【００３２】
なお、本発明は上記実施の形態に限定されることなく、種々の態様で実施することができる。
【００３３】
例えば、上記実施の形態では、袋体として上衣２１やズボン２２部などを有するサウナスーツ２で構成するようにしたが、これを寝袋などのような形状の袋状としてもよい。
【００３４】
また、上記実施の形態では、サウナスーツ２の背面側にのみ発熱体３を設けるようにしているが、胸面側や腕部、大腿部などにも発熱体３を収納するための発熱体収納部２６を設けるようにしてもよい。この場合、同様に、サウナスーツ２の外側に発熱体収納部２６を設けるようにする。
【００３５】
また、上記実施の形態では、発熱体３としてＰＴＣシート３１を用いるようにしたが、これに限らず、外部電力などを用いることによって発熱するような部材であればどのようなものであってもよい。ただし、使用感をよくするために、軽量、かつ、フレキシブル性を有し、しかも低コストで温度制御などをできるようなものであることが好ましい。
【図面の簡単な説明】
【００３６】
【図１】本発明の一実施の形態におけるサウナスーツの外観を示す図
【図２】同形態における背面側の発熱体収納部を示す図
【図３】同形態における背面側の発熱体収納部の断面を示す図
【図４】同形態における発熱体の外観を示す図
【符号の説明】
【００３７】
１・・・装着用サウナ
２・・・サウナスーツ
２１・・・上衣
２２・・・ズボン
２３・・・フード
２５・・・締め具
２６・・・発熱体収納部
２７・・・開口部
２８・・・カバー部
２９・・・面ファスナー
３・・・発熱体
３１・・・ＰＴＣシート
３２・・・電源コード
３３・・・コンセント部
３４・・・布体
【図１】
2009072362.tif 000003
【図２】
2009072362.tif 000004
【図３】
2009072362.tif 000005
【図４】
2009072362.tif 000006